(57)【要約】【課題】  風圧加重を減少し、雪による荷重増加を防ぐことができる架空ケーブルを提供する。【解決手段】  伝送路として用いられるケーブル１Ａと、ケーブル１Ａの外被に設けられた窪み１２Ａ、１２Ｂとを有し、窪み１２Ａ、１２Ｂによりケーブル１Ａの表面積を増加させて、風圧荷重の軽減と着雪の発達の抑制とをする。窪み１２Ａ、１２Ｂは、ケーブル１Ａの周方向および長手方向に規則的に配置されている。【選択図】  図１
2005327480.tif 000002
【特許請求の範囲】
【請求項１】
ケーブル（１Ａ）と、
前記ケーブル（１Ａ）の外被に設けられた窪み（１２Ａ、１２Ｂ）と、
を有し、
前記窪み（１２Ａ、１２Ｂ）により前記ケーブル（１Ａ）の表面積を増加させて、風圧荷重の軽減と着雪の発達の抑制とをすることを特徴とする架空ケーブル。
【請求項２】
前記窪みは、前記ケーブル（１Ａ）の外被に不規則に配置されていることを特徴とする請求項１に記載の架空ケーブル。
【請求項３】
前記窪みは、前記ケーブル（１Ａ）の周方向および長手方向に規則的に配置されていることを特徴とする請求項１に記載の架空ケーブル。
【請求項４】
前記窪みは、半球状、半楕円形状、および多角形状の中の少なくとも１つの形状をしていることを特徴とする請求項１〜３のいずれか１項に記載の架空ケーブル。
【発明の詳細な説明】
【技術分野】
【０００１】
本発明は、通信用の伝送路として使用される架空ケーブルに関するものである。
【背景技術】
【０００２】
従来、この種の架空ケーブルとしては、断面が正形あるいは円形を組み合わせた形状をしている。この形状のため、架空ケーブルの周囲の気流が上下対称な流れ場となり、架空ケーブルの後流場における気流の混合が少なく、架空ケーブルの効力係数が大きいため、風がある時には架空ケーブルに対する風圧荷重が大きい。つまり、風を受ける架空ケーブルの前部と、架空ケーブルの後部とに圧力差が発生し、風圧加重が大きくなる。また、表面積の小さい架空ケーブルの場合、降雪時には着雪が発達し、雪による荷重増加が大きい。
【０００３】
風圧加重を減少し、雪による荷重増加を防ぐ架空ケーブルがある（特許文献１）。この架空ケーブルでは、その外表面に、長手方向に沿って１本の溝と、１本の突条とが設けられ、さらに、溝と突条とが繰り返し交差するように形成されている。
【特許文献１】実開平２−１１９６０６号公報
【発明の開示】
【発明が解決しようとする課題】
【０００４】
先に述べた従来の架空ケーブルには、次の課題がある。外被に凹凸のない架空ケーブルは、断面形状が円形であるため、その周囲の気流が混合しにくく、風圧荷重が大きい。さらに、外被に凹凸があるものと比較すると、表面積が小さいため着雪しやすい。さらに、着雪が成長した場合、重量や受風断面が増加する。特に、架空ケーブルが光ファイバケーブルのときには、光ファイバの歪増加や、架空ケーブル自体の切断の可能性がある。
【０００５】
また、溝と突条とが形成されている架空ケーブルでは、ケーブルの外表面に溝と突条とを設けるので、加工が容易ではない。また、ケーブルの外表面に突条が設けてあるので、ケーブルを巻いて収納するなどの場合、ケーブルの収まりが悪い。
【０００６】
本発明は、前記の課題を解決し、風圧加重を減少し、雪による荷重増加を防ぐことができる架空ケーブルを提供することにある。
【課題を解決するための手段】
【０００７】
前記課題を解決するために、請求項１の発明は、ケーブルと、前記ケーブルの外被に設けられた窪みとを有し、前記窪みにより前記ケーブルの表面積を増加させて、風圧荷重の軽減と着雪の発達の抑制とをすることを特徴とする架空ケーブルである。
請求項２の発明は、請求項１に記載の架空ケーブルにおいて、前記窪みは、前記ケーブルの外被に不規則に配置されていることを特徴とする。
請求項３の発明は、請求項１に記載の架空ケーブルにおいて、前記窪みは、前記ケーブルの周方向および長手方向に規則的に配置されていることを特徴とする。
請求項４の発明は、請求項１〜３のいずれか１項に記載の架空ケーブルにおいて、前記窪みは、半球状、半楕円形状、および多角形状の中の少なくとも１つの形状をしていることを特徴とする。
【発明の効果】
【０００８】
本発明による架空ケーブルには次の効果がある。架空ケーブルの外被に窪みがあるため、架空ケーブルの回りの気流が後流側で混合し、風圧加重を低減可能である。また、架空ケーブルの外被に窪みがあるため、雪が窪み部分で架空ケーブル外周に回り込みにくくなり、架空ケーブルに堆積する前に落ち易くなる。よって、着雪により重量増になることがほとんどなく、架空ケーブルが破断しにくくなる。ひいては、様々な環境下において、架空ケーブルを支持するワイヤや電柱等の伝送線路構造物のさらなるスリム化を実現し、経済的な屋外通信設備の構築を実現することを可能にする。
【発明を実施するための最良の形態】
【０００９】
つぎに、本発明を実施するための最良の形態について、図面を用いて説明する。
［実施形態１］
本実施形態による架空ケーブルは、光ファイバ架空ケーブルである。図１と図２とに示すように、本実施形態による架空ケーブル１は、首部２を介して支持線３によって電柱間に支持されている。
【００１０】
架空ケーブル１は、光ファイバケーブルであるケーブル１Ａの外被に窪みが設けられて作られている。つまり、ケーブル１Ａは、複数の光ファイバ心線（図示を省略）からなる心線部１１の外側に外被１２が形成されている。ケーブル１Ａの外被１２の表面には、外周方向および長手方向に、半球状の窪み１２Ａ、１２Ｂが規則的に配列されている。窪み１２Ａ、１２Ｂの形状は同じであり、窪み１２Ａ、１２Ｂの直径はｄである。窪み１２Ａ、１２Ｂの直径ｄは、ケーブル１Ａの直径に応じて決定する。具体的には、ケーブル１Ａの直径をＤとするとき、窪み１２Ａ、１２Ｂの直径を０.２５８８Ｄ以下とする。つまり、窪み１２Ａ、１２Ｂの直径ｄは、
０＜ｄ≦０.２５８８Ｄ
である。なお、図１および図２では、図面の複雑化を避けるために、代表的な窪みにのみ符号を付けている。
【００１１】
外被１２の窪み１２Ａ、１２Ｂは、表面積の増大を図るために、できるだけ多く配置することが考えられるが、外被１２の強度を保つためには、一定の間隔で配置することが望ましい。そのため、本実施形態では、ケーブル１Ａの周方向に対して、６つの窪み１２Ａを等間隔に配置する。また、ケーブル１Ａの長手方向に対して、窪み１２Ａの中心間隔Ｌ１が、窪み１２Ａの直径Ｄの４倍の間隔で配置する。また、ケーブル１Ａの長手方向に対して、窪み１２Ａの中心から窪み１２Ａの直径Ｄの２倍の位置（間隔Ｌ２）に、かつ、ケーブル１Ａの周方向に、３０度のオフセット（角度θ＝６０度）を持った、６つの窪み１２Ｂを同様の配置間隔で施する。
【００１２】
本実施形態による架空ケーブル１は前記の構造である。本実施形態では、支持線３の表面に対しても架空ケーブル１と同様の窪み３１Ａ、３１Ｂを設けている。
【００１３】
前記の構造の架空ケーブル１を電柱間に架渉した場合、実際には架空ケーブル１は周方向に一様な状態、つまり、窪み１２Ａ、１２Ｂが上下対称となる位置を保つことが困難である。このため、外被１２の窪み１２Ａは、図３（ａ）に示すように、上下非対称な位置になる。なお、図３では、破線が流線を示す。窪み１２Ａが上下非対称な位置になる場合に、架空ケーブル１の外周面では、窪み１２Ａにより、空気流の上下の剥離ポイントＡ１、Ａ２に違いが生じ、その後流場Ｃでは、流れの混合が起こり易くなる。また、架空ケーブル１の長手方向に対してオフセットをもって配置されている窪み１２Ｂにより、架渉径間全体では流れの剥離ポイントに３次元の違いが生じる。これにより、後流場Ｃでは、よりさかんな流れの混合が起こるため、結果として抗力係数が低下し、風圧荷重も小さくなる。つまり、風を受ける架空ケーブル１の前部と、架空ケーブル１の後部との圧力差が減少し、風圧加重を小さくすることができる。これに比べて、図３（ｂ）に示すように、従来の架空ケーブル１０１では、断面が円形であるため、架空ケーブル１０１の周囲の気流が上下対称な流れ場となり、空気流の上下の剥離ポイントＭ１、Ｍ２が同じである。この結果、架空ケーブル１０１の後流場Ｍにおける気流の混合が少なく、架空ケーブル１０１の効力係数が大きいため、風圧荷重が大きい。なお、図３（ｂ）では、１０１Ａが心線部であり、１０１Ｂが外被である。
【００１４】
また、降雪時の着雪については次のとおりである。図４（ａ）に示すように、架空ケーブル１の上側にある窪み１２Ａに雪Ｓが入り込み、雪Ｓが下側へ回り込むまでに時間を要する。このため、雪Ｓが下側へ回り込む前に、風で飛ばされたり、温度上昇により融解することとなる。また、雪Ｓが下側へ回り込んだ場合にも、下側にある窪み１２Ａのために、雪Ｓは架空ケーブル外被に付着しにくいので、雪Ｓの自重により落下し、着雪が成長しにくくなる。これに比べて、図４（ｂ）に示すように、窪みが無く、表面積の小さい架空ケーブル１０１の場合、降雪時には着雪が発達し、雪Ｓによる荷重増加が大きくなる。
【００１５】
このように、本実施形態によれば、低風圧であり、かつ難着雪の光ファイバ架空ケーブル、つまり、低風圧難着雪架空ケーブルを実現することができる。また、支持線３も同様に低風圧難着雪にすることができる。さらに、従来のように表面に突条が無いので、収まりのよい収納を可能にする架空ケーブル１を実現することができる。
【００１６】
［実施形態２］
実施形態１では、架空ケーブル１の外被と支持線３の表面に設ける窪みの形状が半球状であったが、本実施形態では、各種形状の窪みを用いる。これらの形状として、例えばフットボール形状のような半楕円状の窪み、ダイヤモンド形状のような多角形状の窪みを用いる。また、これらの窪みを混ぜて用いてもよい。これらの窪みを用いても、実施形態１と同様に、低風圧難着雪架空ケーブルを実現することができる。
【００１７】
［実施形態３］
実施形態１、２では、架空ケーブル１の外被と支持線３の表面に設ける窪みが規則的に配置されていたが、本実施形態では、窪みを一様に不規則に配置する。こうした配置の窪みを用いても、実施形態１と同様に、低風圧難着雪架空ケーブルを実現することができる。
【００１８】
以上、本発明の実施形態を詳述してきたが、具体的な構成は各実施形態に限られるものではなく、本発明の要旨を逸脱しない範囲の設計の変更等があっても、本発明に含まれる。たとえば、実施形態１〜３では、架空ケーブル１が支持線３によって支持される例を説明したが、支持線３によって支持されない架空ケーブル１であってもよい。
【図面の簡単な説明】
【００１９】
【図１】本発明の実施形態１による架空ケーブルを示す正面図である。
【図２】図１のＩ−Ｉ断面を示す断面図である。
【図３】架空ケーブルの気流を説明する説明図であり、（ａ）は本発明による架空ケーブルを示し、（ｂ）は従来の架空ケーブルを示す。
【図４】架空ケーブルに対する着雪を説明する説明図であり、（ａ）は本発明による架空ケーブルの場合を示し、（ｂ）は従来の架空ケーブルの場合を示す。
【符号の説明】
【００２０】
１  架空ケーブル
１Ａ  ケーブル
１１  心線部
１２  外被
１２Ａ、１２Ｂ  窪み
２  首部
３  支持線
３１Ａ、３１Ｂ  窪み
【図１】
2005327480.tif 000003
【図２】
2005327480.tif 000004
【図３】
2005327480.tif 000005
【図４】
2005327480.tif 000006